(57)【要約】【課題】ドーム状構築物の内部へ侵入した雨水の漏水を確実に回収すると共に、水路の途中で雨水が溢れないように合理的に排水量を分配し得るドーム状構築物における排水装置を提供する。【解決手段】骨組み材１に対して連結されたパネル保持材２と、このパネル保持材２に支持されるパネル３と、該パネル３を前記パネル保持材２に固定する押縁７とを備え、複数の前記パネル保持材２，２，…の長手方向端部が相互に近接する交点部Ｖに、複数の前記パネル３，３，…が隣接して配設されてドーム状の屋根が構成され、パネル保持材２には、前記屋根からの侵入水を前記交点部Ｖに向けて流す水路が形成され、その水路の下流側端部と、下流側のパネル保持材２の水路の上流側端部との間を、導管部材４、４…により直接的に接続し、前記導管部材４、４…を介して前記侵入水を下流側に流す構成とした。【選択図】図８
2006083596.tif 000002
【特許請求の範囲】
【請求項１】
骨組み材に対して連結されたパネル保持材と、このパネル保持材に支持されるパネルと、このパネルを前記パネル保持材に固定する押縁とを備え、
前記パネル保持材の長手方向端部相互が隣接する交点部において、前記パネルが隣接して配設されてドーム状の屋根が構成された、ドーム状構築物における排水装置であって、  
前記パネル保持材には、前記屋根からの侵入水を前記交点部に向けて流す水路が形成され、その水路の下流側端部と、下流側のパネル保持材の水路の上流側端部との間を、導管部材により直接的に接続し、前記導管部材を介して前記侵入水を下流側に流す構成とされた、
ことを特徴とするドーム状構築物における排水装置。
【請求項２】
前記交点部を介して複数の上流側のパネル保持材と複数の下流側のパネル保持材とが配設され、前記導管部材が複数設けられ、上流側のパネル保持材の水路群を、下流側のパネル保持材の水路群に対し、前記導管部材群により侵入水を分配する関係にある、請求項１記載のドーム状構築物における排水装置。
【請求項３】
前記導管部材は、上流側パネル保持材の水路を流れる侵入水を集水する漏斗部と、該漏斗部の口元に設けられた中空管部とを備え、少なくとも前記中空管部は可撓性であり、出口側は下流側パネル保持材の水路内に挿入された構成とされた、請求項１又は２記載のドーム状構築物における排水装置。
【請求項４】
骨組み材に対して連結されたパネル保持材と、このパネル保持材に支持されるパネルと、このパネルを前記パネル保持材に固定する押縁とを備え、
前記パネル保持材の長手方向端部相互が隣接する交点部において、前記パネルが隣接して配設されてドーム状の屋根が構成され、
前記交点部近傍において前記押縁及びパネルが、プレート材によって上方から覆われると共に、前記パネルとプレート材との間がシールされた、ドーム状構築物における排水装置であって、  
前記パネル保持材には、前記屋根からの侵入水を前記交点部に向けて流す水路が形成され、
前記交点部に臨むパネル端部には、パネル上を前記交点部に向かって流入した侵入水を堰き止めると共に、この侵入水を前記パネル保持材の水路に導く立ち上がり部が形成された、
ことを特徴とするドーム状構築物における排水装置。
【請求項５】
前記立ち上がり部は、前記交点部に臨むパネル端部を折曲して形成された立ち上がり片、又は前記パネル端部に別部材として設けられた堰部材であり、立ち上がり片又は堰部材の両端部から侵入水が対応するパネル保持材の水路に導かれる構成とされた、請求項４記載のドーム状構築物における排水装置。
【請求項６】
前記パネル保持材に形成される水路は、上方が開放された上部水路と、この上部水路の下方に設けられた閉鎖された断面を有する下部水路とから構成され、
前記押縁を通してボルト類を前記上部水路の底面に螺入して、パネルを固定した、請求項１〜５のいずれか１項に記載のドーム状構築物における排水装置。
【請求項７】
前記パネルの側端部は、パネル保持材の前記上部水路にのみ込まれる構成とされた、請求項６記載のドーム状構築物における排水装置。
【発明の詳細な説明】
【技術分野】
【０００１】
本発明は、ドーム状構築物における排水装置に関するものである。
【背景技術】
【０００２】
ドーム状構築物の屋根を形成するパネルを複数突合せ、このパネルを支持するパネル保持材の長手方向端部が相互に近接する交点部は、雨水が浸入する隙間が生じ易い。この雨水の浸入を防止するため、従来より種々のシール方法が提案されているが、突合せ部分（交点部）は複雑な構造をしており、また接合箇所が多いことから、シール不十分な箇所、シール材剥離部、亀裂等を介して雨水の浸入がみられる。
【０００３】
そこで、このようなドーム状構築物内部への雨水浸入を解消するため、パネルを保持するパネル保持材に排水のための水路を形成すると共に、交点部にキャッチパンを取付けた排水構造が提案されている。この排水構造では、侵入した雨水をパネル保持材の水路に流し、その下方に配置されたキャッチパンに雨水を集め、そして、さらに下方のパネル保持材の水路に流し、最下端で雨水を排出するものである（例えば、特許文献１参照）。すなわち、仮に、シール材から雨水の侵入があっても、侵入水が水路及びキャッチパンで受け止められ、最終的には水路を経て室外に排出され、室内に雨水が落下することが防止されるのである。  
【特許文献１】特開平１１−３２４２４９号公報（４頁乃至７頁、図１乃至図９）
【発明の開示】
【発明が解決しようとする課題】
【０００４】
前記の排水構造では、侵入水をパネル保持材に形成した水路に導いて交点部に向かうように構成し、この交点部に設けられたキャッチパンの排水部を下方に向かう一つのパネル保持材の排水路にのみ臨ませ、キャッチパンの集水部を他の全てのパネル保持材の水路に臨ませている。
【０００５】
したがって、キャッチパンの各排水部を通して下方に向かう排水経路の方向が、重力の関係で、屋根の傾斜に沿った実質的に同一方向となり、他の方向に向かわないようにされているので、下方のキャッチパンに行くほど排水量が増加するため、場合によっては、このキャッチパン付近で雨水が溢れ出し、交点部での漏水防止が図れない虞がある。
【０００６】
また、上記排水構造のキャッチパンの構造は複雑であるため、製作コストがかかると共に、交点部に取付けるための施工の手間がかかっていた。
【０００７】
そこで、本発明の主たる課題は、製作コスト及び施工手間を抑えつつ、ドーム状構築物の内部へ侵入した雨水の漏水を確実に回収すると共に、水路の途中で雨水が溢れないように合理的に排水量を分配し得るドーム状構築物における排水装置を提供することである。
【課題を解決するための手段】
【０００８】
上記課題を解決した本発明は、次のとおりである。
＜請求項１記載の発明＞
骨組み材に対して連結されたパネル保持材と、このパネル保持材に支持されるパネルと、このパネルを前記パネル保持材に固定する押縁とを備え、
前記パネル保持材の長手方向端部相互が隣接する交点部において、前記パネルが隣接して配設されてドーム状の屋根が構成された、ドーム状構築物における排水装置であって、
前記パネル保持材には、前記屋根からの侵入水を前記交点部に向けて流す水路が形成され、その水路の下流側端部と、下流側のパネル保持材の水路の上流側端部との間を、導管部材により直接的に接続し、前記導管部材を介して前記侵入水を下流側に流す構成とされた、
ことを特徴とするドーム状構築物における排水装置。
【０００９】
（作用効果）
骨組み材に対して連結されたパネル保持材と、このパネル保持材に支持されるパネルと、このパネルを前記パネル保持材に固定する押縁とを備え、前記パネル保持材の長手方向端部相互が隣接する交点部において、前記パネルが隣接して配設されてドーム状の屋根が構成された構築物においては、シール部の経年変化などにより雨水の侵入を完全には防止できない。
【００１０】
そこで、前記パネル保持材には、前記屋根からの侵入水を前記交点部に向けて流す水路が形成され、下方へと流すようにしてある。その際に、交点部における上流側のパネル保持材の水路を流れる侵入水を導管部材を介して、下流側のパネル保持材の水路へと流す構成とすることにより、各種部材が集中して複雑な構成となった交点部における、排水経路の構成を簡略化することができ、製作コスト及び施工手間を抑えることができる。
【００１１】
また、前述のように、従来技術では各水路から侵入水をキャッチパンで共通的に受けて、下方に流すようにしているために、下方に向かう排水経路の方向が、重力の関係で、屋根の傾斜に沿った実質的に同一方向となり、他の方向に向かわないようにされているので、下方のキャッチパンに行くほど排水量が増加するため、場合によっては、このキャッチパン付近で雨水が溢れ出し、交点部での漏水防止が図れない虞がある。
【００１２】
これに対し、特に本発明では、上流側の水路の下流側端部と、下流側のパネル保持材の水路の上流側端部との間を、導管部材により直接的に接続し、この導管部材を介して侵入水を下流側に流す構成した。したがって、上流側の水路から特定の下流側のパネル保持材の水路へと導管部材により直接的に流すことができるので、侵入水を流す経路を選択できるために、排水経路及び排水量の調整が可能であり、従来のようにキャッチパン付近で雨水が溢れ出す危険性はなく、交点部での漏水防止を確実に図ることができる。
【００１３】
＜請求項２記載の発明＞
前記交点部を介して複数の上流側のパネル保持材と複数の下流側のパネル保持材とが配設され、前記導管部材が複数設けられ、上流側のパネル保持材の水路群を、下流側のパネル保持材の水路群に対し、前記導管部材群により侵入水を分配する関係にある、請求項１記載のドーム状構築物における排水装置。
【００１４】
（作用効果）
上流側のパネル保持材の水路群を、下流側のパネル保持材の水路群に対し、前記導管部材群により侵入水を分配する関係にある構成としたので、侵入水を流す経路の選択により、排水経路及び排水量の調整が可能であり、流れの途中で雨水が溢れないように合理的に排水量を分配することができ、円滑に下方のパネル保持材の水路に導くことができる。
【００１５】
＜請求項３記載の発明＞
前記導管部材は、上流側パネル保持材の水路を流れる侵入水を集水する漏斗部と、該漏斗部の口元に設けられた中空管部とを備え、少なくとも前記中空管部は可撓性であり、出口側は下流側パネル保持材の水路内に挿入された構成とされた、請求項１又は２記載のドーム状構築物における排水装置。
【００１６】
（作用効果）
導管部材は、上流側パネル保持材の水路を流れる侵入水を集水する漏斗部と、該漏斗部の口元に設けられた中空管部とを備え、少なくとも前記中空管部は可撓性であり、出口側は下流側パネル保持材の水路内に挿入された構成とされたものであるために、簡素な構造でありながら上流側パネル保持材の水路を流れる侵入水を集水し、確実に下流側パネル保持材の下部水路に流すことができる。しかも、少なくとも中空管部は可撓性であるために、選定した下流側パネル保持材の水路が直線的に配列していなくとも、中空管部を曲げて繋ぐことにより、その出口側を選定した下流側パネル保持材の水路内に挿入することができる。
【００１７】
＜請求項４記載の発明＞
骨組み材に対して連結されたパネル保持材と、このパネル保持材に支持されるパネルと、このパネルを前記パネル保持材に固定する押縁とを備え、
前記パネル保持材の長手方向端部相互が隣接する交点部において、前記パネルが隣接して配設されてドーム状の屋根が構成され、
前記交点部近傍において前記押縁及びパネルが、プレート材によって上方から覆われると共に、前記パネルとプレート材との間がシールされた、ドーム状構築物における排水装置であって、
前記パネル保持材には、前記屋根からの侵入水を前記交点部に向けて流す水路が形成され、
前記交点部に臨むパネル端部には、パネル上を前記交点部に向かって流入した侵入水を堰き止めると共に、この侵入水を前記パネル保持材の水路に導く立ち上がり部が形成された、
ことを特徴とするドーム状構築物における排水装置。
【００１８】
（作用効果）
パネル保持材の長手方向端部相互が隣接する交点部の近傍において押縁及びパネルが、プレート材によって上方から覆われると共に、パネルとプレート材との間がシールされ、水密が図られている。
しかし、仮に、シールの剥離、亀裂等によりこれらの隙間から雨水が侵入したとしても、パネル保持材には、前記屋根からの侵入水を前記交点部に向けて流す水路が形成され、  前記交点部に臨むパネル端部には、パネル上を前記交点部に向かって流入した侵入水を堰き止めると共に、この侵入水を前記パネル保持材の水路に導く立ち上がり部が形成されていることにより、侵入した雨水は、この立ち上がり部によって交点部への侵入が堰き止められ、この立ち上がり部から隣接するパネル保持材の水路に導かれるため、ドーム状構築物内への漏水が防止される。
【００１９】
＜請求項５記載の発明＞
前記立ち上がり部は、前記交点部に臨むパネル端部を折曲して形成された立ち上がり片、又は前記パネル端部に別部材として設けられた堰部材であり、立ち上がり片又は堰部材の両端部から侵入水が対応するパネル保持材の水路に導かれる構成とされた、請求項４記載のドーム状構築物における排水装置。
【００２０】
（作用効果）
屋根から侵入した雨水は、立ち上がり片又は堰部材によって交点部への侵入が堰き止められ、立ち上がり片又は堰部材の両側端から隣接するパネル保持材の水路に導かれる構成となっていることにより、２方向に侵入水が分配され被水量の調整がなされる、排水量が増大した場合に対処しやすくなっている。また、一方の立ち上がり片又は堰部材の側端部分がゴミ等で詰まっていたとしても、もう一方の立ち上がり片又は堰部材に隣接するパネル保持材の水路に流すことができ、漏水の虞がより一層少なくなる。
【００２１】
＜請求項６記載の発明＞
前記パネル保持材に形成される水路は、上方が開放された上部水路と、この上部水路の下方に設けられた閉鎖された断面を有する下部水路とから構成され、
前記押縁を通してボルト類を前記上部水路の底面に螺入して、パネルを固定した、請求項１〜５のいずれか１項に記載のドーム状構築物における排水装置。
【００２２】
（作用効果）
押縁を通してボルト類を前記上部水路の底面に螺入して、パネルを固定する構造であるために、押縁とボルト類との隙間等から雨水が侵入したとしても、その雨水は上部水路に流されるか、上部水路の底面におけるボルト孔の隙間から流下したとしても、下部水路に流されるため、漏水が防止される。
【００２３】
＜請求項７記載の発明＞
前記パネルの側端部は、パネル保持材の前記上部水路にのみ込まれる構成とされた、請求項６記載のドーム状構築物における排水装置。
【００２４】
（作用効果）
パネルの側端部は、パネル保持材の上部水路にのみ込まれる構成となっていることにより、押縁とパネルとの隙間から侵入した雨水は、パネル保持材の上部水路に流されるため、ドーム状構築物内への漏水が防止される。
【発明の効果】
【００２５】
本発明によれば、製作コスト及び施工手間を抑えつつドーム状構築物の内部へ侵入した雨水の漏水を確実に回収すると共に、排水路の途中で雨水が溢れないように合理的に排水量を分配できる等の利点がもたらされる。
【発明を実施するための最良の形態】
【００２６】
以下、本発明の実施の形態を説明する。
＜ドーム状構築物における屋根の全体構成＞
図１乃至図６に基づき、ドーム状構築物における屋根の全体構成について説明する。なお、図１は排水経路を説明するための立面図であり、図２はその平面図であり、図３はＡ部分の交点部を説明するための平面図であり、図４はＡ部分の交点部に導管部材及び堰部材を配設した状態を説明するための平面図であり、図５は交点部のＢ―Ｂ断面図であり、図６は交点部のＣ―Ｃ断面図である。
ドーム状構築物は、トラス状に組み上げた骨組み材１に沿ってパネル保持材２が固定され、このパネル保持材２に屋根の外装材としてのパネル３が支持され、各パネル３，３…が、パネル保持材２，２，…の長手方向端部が相互に近接する交点部Ｖを介して隣接して多数配置されると共に、トラス状に組み上げた骨組み材１、１は、交点部Ｖにおいて、プレート状の継ぎ手部材８と継ぎ手ボルト８１，８１，…及びナット８２，８２，…との連結により固定されることにより、全体としてドーム状の屋根を構成している。
【００２７】
本実施の形態では、骨組み材１は、断面Ｈ型のウエッブとフランジからなる部材が用いられている。そして、この骨組み材１の上部、すなわち上部フランジ部分には、図５に示されるように、パネル保持材２が連結されている。そして、図３、図４及び図６に示すように、隣接するパネル保持材２，２を跨ぐように、パネル３が取付けられ、その状態で押縁７によって、パネル保持材２にパネル３が固定されている。なお、図３では、便宜上、後述する導管部材４と堰部材５については図示していない。
【００２８】
そして、最終的に、プレート材であるカバープレート６が、交点中心に向かって配置された押縁７，７，…及びパネル３，３，…に跨設されることにより、交点部Ｖは上方から覆われるようになっている。また、カバープレート６の周縁には、シールがなされ、シール部６１が形成されている。
【００２９】
室外側での止水対策としては、後述するが、パネル３の上段部３Ａの端縁と押縁７との納まりでは、上部押圧部７１に設けられた長手方向に延在するパッキン７１Ａにより、水密を確保し、カバープレート６とパネル３，３，…との隙間並びにカバープレート６と押縁７，７，…との隙間は、シール部６１により水密を確保している。さらに、押縁７及びカバープレート６を固定する六角ネジ７３との隙間は、パッキン７４によって水密を確保している。
【００３０】
そして、上記シール部６１の剥離、亀裂等やパッキン７１Ａやパッキン７４劣化等により内部へ侵入してくる侵入水は、図１及び図２に示すように、後述するパネル保持材２に形成した上部水路２１、下部水路２２に導かれ、交点部Ｖに向かうようになっており、後述する導管部材４が、交点部Ｖにおける複数の上流側のパネル保持材２，２，…の上部水路２１、下部水路２２を流れる侵入水を、複数の下流側のパネル保持材２，２，…の下部水路２２に分配して流すように配設されているため、下方に向かう一つのパネル保持材の水路にのみ臨ませ、下方に向かう排水経路の方向を実質的に同一方向にした従来例とは異なり、水路の途中で雨水が溢れないように合理的に排水量を分配するようになっている。
【００３１】
図１及びＡ部分の交点部Ｖの詳細を示した図３を参照すると、交点中心に向かって相互に約６０度の角度をもって配置されたパネル保持材２，２…において、水平方向及びこれにより上方のパネル保持材（上流側のパネル保持材）２，２…の水路の出口から侵入水が排水されるので、この侵入水を下方のパネル保持材（下流側のパネル保持材）２，２に連通させるために、交点部Ｖに、図４に示すように、侵入水を送通可能な導管部材４が設けられている。
【００３２】
＜交点部の詳細構成＞
図５乃至図１６に基づき、交点部の構成について詳述する。なお、図７はその部分拡大断面図であり、図８は交点部の室外側からの斜視図であり、図９はその拡大斜視図であり、図１０はパネル、パネル保持材、押縁及び導管部材の収まりを説明するための斜視図であり、図１１はその収まりを分解し説明するための斜視図であり、図１２は隣接するパネル保持材と堰部材及び導管部材との収まりを説明するための斜視図であり、図１３はパネル保持材と導管部材との収まりを説明するための側面図であり、図１４はその正面断面図であり、図１５は漏斗部の正面図であり、図１６はその裏面図（入口側の正面図）である。
【００３３】
パネル保持材２は、その上部が開放された断面凹状の上部水路２１と、この上部水路２１の下方に設けられた中空状の下部水路２２と、これら水路２１，２２を下方から支持する支持片２３，２３と、これら支持片２３，２３の下端部に設けられたリップ溝２４，２４とを備えている。
【００３４】
図７及び図１０に示すように、パネル３，３，…の側端部は、上部水路２１にのみ込まれる構成となっており、その状態で後述する押縁７によって上方から押圧され、そのことによってパネル３，３，…とパネル保持材２とが構造的に一体となっている。そして、パネル３，３，…の側端部が上部水路２１にのみ込まれていることより、押縁７とパネル３との隙間から侵入した雨水は、パネル保持材２の上部水路に流されるようになっている。
【００３５】
この上部水路２１は、押縁７とパネル３との隙間から侵入した雨水以外にも、後述する堰部材５によって交点部への侵入が堰き止められ、この堰部材５から導かれた侵入水や、押縁７と六角ネジ７３との隙間等から侵入する雨水を下方に流す水路ともなっている。
【００３６】
下部水路２２は、後述する押縁７をパネル保持材２（具体的には、上部水路２１の底面２１Ａ）に固定する六角ネジ７３のためのネジ孔２１ａの隙間から下方に落ちる侵入水を流す働きをしている。さらに、交点部Ｖにおける下流側のパネル保持材２，２の下部水路２２は、上流側のパネル保持材２，２の上部水路２１及び下部水路２２から導管部材４内を流れ、この導管部材４の中空管部４１の先端から排出される侵入水をより下方に流す働きをしている（図５参照）。
【００３７】
支持片２３は、上部水路２１及び下部水路２２の両側面から下方に向けて延在しており、骨組み材１と上部水路２１及び下部水路２２との間の高さ調整を行うものである。すなわち、交点部Ｖ近傍において、骨組み材１、１とプレート状の継ぎ手部材８とを継ぎ手ボルト８１，８１，…によって連結しているが、この継ぎ手ボルト８１，８１，…及びナット８２，８２，…の高さ分を逃げるために、支持片２３によって高さを確保しているものである。そして、この支持片２３の下端部にはリップ溝２４が形成されており、その溝部分を下方に位置させる状態で、リップ溝２４は骨組み材１のフランジ部分に当接している。このリップ溝２４には、リップ溝ボルト２４Ａの頭部が嵌合されおり、このリップ溝ボルト２４Ａとナット２４Ｂとの螺着により、骨組み材１とパネル保持材２とは連結されている。
【００３８】
パネル３は、屋根の外装材であり、前述したパネル保持材２に固定されるその側端部は、図７又は図１０に示すように、断面凹状の上部水路２１の底面２１Ａに接するように折り曲げられている。この側端部は、図７に示すように、パネル３の上段部３Ａの端縁から下方に折曲した垂下部３Ｂと、この垂下部３Ｂから底面２１Ａに沿って折曲した下段部３Ｃ（側端部の縁部分）を有している。このパネル３，３，…の側端部は、前述したように、上部水路２１にのみ込まれる構成となっており、その状態で後述する押縁７によって上方から押圧されている。具体的には、パネル３の側端部は、後述する押縁７の上部押圧部７１と上部水路２１の側面２１Ｂの端縁とによって、パネル３の側端部を形成する上段部３Ａの端縁が挟持されると共に、下部押圧部７２と上部水路２１の底面２１Ａとによって、下段部３Ｃが狭持されるようになっている。
【００３９】
押縁７は、パネル保持材２の上部水路２１の開放された上部を覆うように、パネル保持材２の長手方向に延びた部材である。この押縁７は、押縁７の幅方向の両側にパッキン７１Ａ、７１Ａ，…を有すると共に、パネル３の上段部３Ａの端縁を下方に押圧する上部押圧部７１，７１と、幅方向の略中央部に下方に延在し、パネル３の下段部３Ｃを下方に押圧する下部押圧部７２，７２とを備えており、六角ネジ７３がパネル保持材２の上部水路２１の底面２１Ａに形成されたネジ孔２１ａに螺着することにより、パネル保持材２に固定されている。
【００４０】
カバープレート６は、交点部Ｖを上方から覆う略円形のプレート材であり、交点中心に向かって配置された交点部近傍の押縁７，７，…及びパネル３，３，…上に跨設され、交点近傍の六角ネジ７３，７３，…によってパネル保持材２に連結されている。カバープレート６の周縁には、図５に示すように、シール部６１が形成されている。このシール部６１は、カバープレート６のパネル保持材２への連結の後に、バックアップ材６２の手前にシールが打たれるものである。シール部６１は、カバープレート６周縁の全周、すなわち、カバープレート６とパネル３，３，…との隙間並びにカバープレート６と押縁７，７，…との隙間をシールするように形成されており、雨水の侵入を防いでいる。
【００４１】
交点部Ｖに臨むパネル３の端部である隅切り部３Ｄには、このシール部６１から侵入した雨水を堰き止める堰部材５が設けられている。この堰部材５は、シール部６１から侵入し、パネル３の上段部３Ａから交点部Ｖの中心に流れ落ちようとする侵入水を堰き止め、図１０に示すように、堰部材５の両側端と押縁７の上部押圧部７１，７１との間から、パネル保持材２の上部水路２１に侵入水を導く、いわゆる分水嶺として機能している。この堰部材５が、分水嶺として２方向に侵入水を分配することによって、排水量が増大した場合に対処しやすくなっている。また仮に、一方の堰部材５の側端と押縁７の上部押圧部７１との間がゴミ等により詰まっていたとしても、もう一方の堰部材５に隣接するパネル保持材２の上部水路２１に流すことができ、漏水の虞がより一層少なくなっている。なお、堰部材５は、ゴム、プラスチック、スポンジ等で形成し、パネル３の端部（隅切り部）３Ｄに固定してもよいが、パネル３の端部（隅切り部）３Ｄ自体を上方に折り曲げ、立ち上がり片（図示せず）を形成してもよい。
【００４２】
導管部材４は、上流側パネル保持材２の上部水路２１及び下部水路２２を流れる侵入水を集水する漏斗部４２と、この漏斗部４２の口元に設けられ、集水された侵入水を流す中空管部４１とを備えている。漏斗部４２は、図１３乃至図１６に示すように、その入口側は、上流側のパネル保持材２の上部水路２１及び下部水路２２の排出口に嵌合され、これらから流れてくる侵入水を集水するようになっており、その出口（口元）側には、中空管部４１と連通している。ここで、漏斗部４２と上部水路２１及び下部水路２２の排出口との嵌合部分については、三角シールを行うことが好ましい。中空管部４１は、その基端側を漏斗部４２の口元に連結され、その先端側は、図５に示されるように、下流側のパネル保持材２の下部水路２２内に挿入されている。漏斗部４２及び導管本体４１の材質としては、剛性のものよりプラスチック製やゴム製等の可撓性材質のものが好ましい。そして、全体が可撓性である必要はなく、曲げることが要請される中空管部４１が可撓性であれば足りる。導管部材４は、簡素な構造でありながら上流側パネル保持材２の上部水路２１及び下部水路２２を流れる侵入水を集水し、確実に下流側パネル保持材２の下部水路２２に流すことができる。
【００４３】
＜侵入水の排水装置＞
前述したように、シール部６１の剥離、亀裂等やパッキン７１Ａやパッキン７４劣化等により内部へ侵入してくる侵入水に対する排水構造を、機能面を中心に以下に詳述する。
【００４４】
カバープレート６とパネル３，３，…との隙間から侵入する雨水に対しては、交点部Ｖに臨むパネル３の端部（隅切り部）３Ｄに設けられた堰部材５により、交点部Ｖへの侵入が堰き止められ、侵入水は堰部材５の両側端と押縁７の上部押圧部７１，７１との間を通って、パネル保持材２，２の上部水路２１，２１に流下させられる。前述したように、２方向に侵入水を分配することによって、排水量が増大した場合に対処しやすくなっている。また仮に、一方の堰部材５の側端と押縁７の上部押圧部７１との間がゴミ等により詰まっていたとしても、もう一方に流すことができ、漏水の虞がより一層少なくなっている。
【００４５】
パネル３の上段部３Ａの端縁と押縁７の上部押圧部７１のパッキン７１Ａとの隙間から侵入する雨水に対しては、パネルの側端部は、パネル保持材２の上部水路２１にのみ込まれる構成となっていることより、この側端部を介してパネル保持材２の上部水路２１に侵入水が流れるようになっている。
【００４６】
押縁７及びカバープレート６を固定する六角ネジ７３との隙間から侵入する雨水に対しては、まず、上部水路２１の底面２１Ａで受けて、上部水路２１を流れるようにしており、底面２１Ａのネジ孔２１ａの隙間から下方に流下する雨水については、下部水路２２に流すようにしている。
【００４７】
カバープレート６と押縁７，７，…との隙間から侵入する雨水に対しては、押縁７，７，…の上面を流れながら、直接、上部水路２１に流下させたり、いったんパネル３に流れ落ちてから、堰部材５を介して上部水路２１に流下させるようになっている。
【００４８】
以上のように、侵入した雨水は、すべてパネル保持材２の上部水路２１及び下部水路２２に流れ落ちていくものである。そして、交点部Ｖにおいて、上流側パネル保持材２の上部水路２１及び下部水路２２を流れる侵入水は、導管部材４の漏斗部４２により集水され、漏斗部４２の口元に設けられた中空管部４１を介して、下流側のパネル保持材２の下部水路２２に流されていくものである。また、図１や図４に示されるように、導管部材４，４，…は交点部における複数の上流側のパネル保持材２，２、…の上部水路２１，２１，…及び下部水路２２，２２，…を流れる侵入水を、複数の下流側のパネル保持材２，２、…の下部水路２２，２２，…に分配して流すように配設されているので、下方に向かう排水経路の方向は、一方向にのみに限定されておらず、少なくとも２方向以上の排水経路が確保されているので、排水量が適度に分配され、パネル保持材２の上部水路２１の上部開放部分からの雨水の溢れ出しや、漏斗部４２と上部水路２１及び下部水路２２の排出口とのシール部分からの漏水を防止することができる。
【図面の簡単な説明】
【００４９】
【図１】排水経路を説明するための立面図である。
【図２】その平面図である。
【図３】Ａ部分の交点部を説明するための平面図である。
【図４】Ａ部分の交点部に導管部材及び堰部材を配設した状態を説明するための平面図である。
【図５】交点部のＢ―Ｂ断面図である。
【図６】交点部のＣ―Ｃ断面図である。
【図７】その部分拡大断面図である。
【図８】交点部の室外側からの斜視図である。
【図９】その拡大斜視図である。
【図１０】パネル、パネル保持材、押縁及び導管部材の収まりを説明するための斜視図である。
【図１１】その収まりを分解し説明するための斜視図である。
【図１２】隣接するパネル保持材と堰部材及び導管部材との収まりを説明するための斜視図である。
【図１３】パネル保持材と導管部材との収まりを説明するための側面図である。
【図１４】その正面断面図である。
【図１５】漏斗部の正面図である。
【図１６】その裏面図（入口側の正面図）である。
【符号の説明】
【００５０】
１…骨組み材、２…パネル保持材、３…パネル、３Ａ…上段部、３Ｂ…垂下部、３Ｃ…下段部、３Ｄ…端部（隅切り部）、４…導管部材、５…堰部材、６…カバープレート、７…押縁、８…継ぎ手部材、２１…上部水路、２１Ａ…底面、２１Ｂ…側面、２１ａ…ネジ孔、２２…下部水路、２３…支持片、２４…リップ溝、２４Ａ…リップ溝ボルト、２４Ｂ…ナット、４１…中空管部、４２…漏斗部、６１…シール部、６２…バックアップ材、７１…上部押圧部、７１Ａ…パッキン、７２…下部押圧部、７３…六角ネジ、７４…パッキン、８１…継ぎ手ボルト、８２…ナット、Ｖ…交点部。
【図１】
2006083596.tif 000003
【図２】
2006083596.tif 000004
【図３】
2006083596.tif 000005
【図４】
2006083596.tif 000006
【図５】
2006083596.tif 000007
【図６】
2006083596.tif 000008
【図７】
2006083596.tif 000009
【図８】
2006083596.tif 000010
【図９】
2006083596.tif 000011
【図１０】
2006083596.tif 000012
【図１１】
2006083596.tif 000013
【図１２】
2006083596.tif 000014
【図１３】
2006083596.tif 000015
【図１４】
2006083596.tif 000016
【図１５】
2006083596.tif 000017
【図１６】
2006083596.tif 000018